(57)【要約】    【課題】動画像の撮影時におけるにおける撮影条件を最適かつ簡便に設定することができる撮影装置及び方法、並びにプログラム及び記憶媒体を提供する。    【解決手段】撮影装置１００は、ＭｏｔｉｏｎＪＰＥＧ形式での撮影を選択して撮影条件を設定するときは、ＬＣＤ１１５に撮影条件設定画面を表示し、画像サイズが変更されたか、又はオーディオビットレートが変更されたときは、各サンプル画像に表示されている撮影可能時間を変更し、ＬＣＤ１１５に表示した９つのサンプル画像から、１つのサンプル画像が選択されたときは、選択されたサンプル画像に対応するフレームレート、圧縮率、画像サイズ、オーディオビットレートの各撮影条件を設定する。【選択図】      図２
2005348258.tif 000002
【特許請求の範囲】
【請求項１】
動画像から動画像データを取得して記録する撮影装置において、撮影条件の異なる複数のサンプル画像を表示する表示手段と、前記複数のサンプル画像から１つのサンプル画像を選択する選択手段と、前記撮影条件を前記選択された１つのサンプル画像に基づいて設定する設定手段とを備えることを特徴とする撮影装置。
【請求項２】
前記撮影条件は前記動画像データのデータ形式であることを特徴とする請求項１記載の撮影装置。
【請求項３】
前記撮影条件は、前記データ形式の２つのパラメータの組合せであり、前記表示手段は、前記２つのパラメータを夫々マトリックス状に配列して表示することを特徴とする請求項２記載の撮影装置。
【請求項４】
前記取得された動画像データをトリミング又はリサイズして前記サンプル画像の動画像データを作成する作成手段を備え、前記表示手段は、前記作成された動画像データに基づいて、前記複数のサンプル画像を表示することを特徴とする請求項１乃至３のいずれか１項に記載の撮影装置。
【請求項５】
前記サンプル画像の動画像データを予め記憶した記憶手段を備え、前記表示手段は、前記予め記憶された動画像データに基づいて、前記複数のサンプル画像を表示することを特徴とする請求項１乃至３のいずれか１項に記載の撮影装置。
【請求項６】
前記複数のサンプル画像に対応した前記撮影条件及びメモリ残量に基づいて録画可能時間を算出する算出手段を備え、前記表示手段は、前記複数のサンプル画像に対応させて前記録画可能時間を表示することを特徴とする請求項１乃至５のいずれか１項に記載の撮影装置。
【請求項７】
動画像から動画像データを取得して記録する撮影方法において、撮影条件の異なる複数のサンプル画像を表示する表示ステップと、前記複数のサンプル画像から１つのサンプル画像を選択する選択ステップと、前記撮影条件を前記選択された１つのサンプル画像に基づいて設定する設定ステップとを備えることを特徴とする撮影方法。
【請求項８】
前記撮影条件は前記動画像データのデータ形式であることを特徴とする請求項７記載の撮影方法。
【請求項９】
前記撮影条件は、前記データ形式の２つのパラメータの組合せであり、前記表示ステップは、前記２つのパラメータを夫々マトリックス状に配列して表示することを特徴とする請求項８記載の撮影方法。
【請求項１０】
前記取得された動画像データをトリミング又はリサイズして前記サンプル画像の動画像データを作成する作成ステップを備え、前記表示ステップは、前記作成された動画像データに基づいて、前記複数のサンプル画像を表示することを特徴とする請求項７乃至９のいずれか１項に記載の撮影方法。
【請求項１１】
前記サンプル画像の動画像データを予め記憶した記憶ステップを備え、前記表示ステップは、前記予め記憶された動画像データに基づいて、前記複数のサンプル画像を表示することを特徴とする請求項７乃至９のいずれか１項に記載の撮影方法。
【請求項１２】
前記複数のサンプル画像に対応した前記撮影条件及びメモリ残量に基づいて録画可能時間を算出する算出ステップを備え、前記表示ステップは、前記複数のサンプル画像に対応させて前記録画可能時間を表示することを特徴とする請求項７乃至１１のいずれか１項に記載の撮影方法。
【請求項１３】
動画像から動画像データを取得して記録する撮影プログラムにおいて、撮影条件の異なる複数のサンプル画像を表示する表示モジュールと、前記複数のサンプル画像から１つのサンプル画像を選択する選択モジュールと、前記撮影条件を前記選択された１つのサンプル画像に基づいて設定する設定モジュールとをコンピュータに実行させることを特徴とする撮影プログラム。
【請求項１４】
請求項１３記載のプログラムを格納することを特徴とするコンピュータ読取り可能な記憶媒体。
【発明の詳細な説明】
【技術分野】
【０００１】
本発明は、撮影装置及び方法、並びにプログラム及び記憶媒体に関し、特に、動画像のデジタルデータを記録再生することができる撮影装置及び方法、並びにプログラム及び記憶媒体に関する。
【背景技術】
【０００２】
デジタルカメラ、携帯端末、携帯電話、携帯マルチメディアプレイヤー等の動画像のデジタルデータを記録再生できる撮影装置は、液晶画面（ＬＣＤ）等の表示装置と、撮影した画像を記録する記憶領域と、十字キーやボタン等から成る入力キーを備えている。
【０００３】
表示装置は、写真又は動画の撮影時にはファインダー画像を表示し、記録画像の再生時には記憶領域に記録済みの画像を表示する。また、表示装置は、データ形式等の撮影条件の設定時にはメニューを表示し、このメニューから入力キーを用いて撮影条件の設定を行うことができる（例えば、特許文献１参照）。
【０００４】
撮影条件には、画像データの圧縮率、フレームレート、画像サイズ等の設定項目があり、設定された撮影条件と撮影装置が備えている記憶領域のメモリ残量とから、静止画であれば撮影可能枚数、動画であれば撮影可能時間が算出される。静止画においては、画像データの圧縮形式としてＪＰＥＧ（Joint Photographic Coding Experts Group）が用いられるのが通例であり、ＪＰＥＧの圧縮率と画像サイズから撮影可能枚数が算出される。動画においては、撮影可能時間を表示することができる撮影装置が既に製品化されている。
【特許文献１】特開平７−３２７１５５号公報
【発明の開示】
【発明が解決しようとする課題】
【０００５】
しかしながら、上記従来の撮影装置において、撮影時における撮影条件の設定は、表示装置上に表示されるメニューから入力キーを用いて行う。静止画においては、圧縮率と画像サイズという２つの設定項目のみなので、記憶領域のメモリ残量と画質を考慮して容易に撮影条件を設定できるが、動画においては、画面サイズ、ビットレート、フレームレート、ファイルフォーマット、オーディオフォーマット等、多くの設定項目があるので、撮影条件の設定が困難である。さらに、設定項目には専門用語が多く使用されているので、不慣れなユーザには撮影条件の設定が困難である。
【０００６】
市販されているデジタルカメラ等では、動画の撮影条件は予め設定されている場合もあるが、記憶領域のメモリ残量によって撮影可能時間は固定されてしまい、高画質で撮りたい場合や、画質は落としても長時間撮影したい場合等に対応することができない。
【０００７】
本発明の目的は、動画像の撮影時における撮影条件を最適かつ簡便に設定することができる撮影装置及び方法、並びにプログラム及び記憶媒体を提供することにある。
【課題を解決するための手段】
【０００８】
上述の目的を達成するために、請求項１記載の撮影装置は、動画像から動画像データを取得して記録する撮影装置において、撮影条件の異なる複数のサンプル画像を表示する表示手段と、前記複数のサンプル画像から１つのサンプル画像を選択する選択手段と、前記撮影条件を前記選択された１つのサンプル画像に基づいて設定する設定手段とを備えることを特徴とする。
【０００９】
請求項２記載の撮影装置は、請求項１記載の撮影装置において、前記撮影条件は前記動画像データのデータ形式であることを特徴とする。
【００１０】
請求項３記載の撮影装置は、請求項２記載の撮影装置において、前記撮影条件は、前記データ形式の２つのパラメータの組合せであり、前記表示手段は、前記２つのパラメータを夫々マトリックス状に配列して表示することを特徴とする。
【００１１】
請求項４記載の撮影装置は、請求項１乃至３のいずれか１項に記載の撮影装置において、前記取得された動画像データをトリミング又はリサイズして前記サンプル画像の動画像データを作成する作成手段を備え、前記表示手段は、前記作成された動画像データに基づいて、前記複数のサンプル画像を表示することを特徴とする。
【００１２】
請求項５記載の撮影装置は、請求項１乃至３のいずれか１項に記載の撮影装置において、前記サンプル画像の動画像データを予め記憶した記憶手段を備え、前記表示手段は、前記予め記憶された動画像データに基づいて、前記複数のサンプル画像を表示することを特徴とする。
【００１３】
請求項６記載の撮影装置は、請求項１乃至５のいずれか１項に記載の撮影装置において、前記複数のサンプル画像に対応した前記撮影条件及びメモリ残量に基づいて録画可能時間を算出する算出手段を備え、前記表示手段は、前記複数のサンプル画像に対応させて前記録画可能時間を表示することを特徴とする。
【００１４】
上述の目的を達成するために、請求項７記載の撮影方法は、動画像から動画像データを取得して記録する撮影方法において、撮影条件の異なる複数のサンプル画像を表示する表示ステップと、前記複数のサンプル画像から１つのサンプル画像を選択する選択ステップと、前記撮影条件を前記選択された１つのサンプル画像に基づいて設定する設定ステップとを備えることを特徴とする。
【００１５】
請求項８記載の撮影方法は、請求項７記載の撮影方法において、前記撮影条件は前記動画像データのデータ形式であることを特徴とする。
【００１６】
請求項９記載の撮影方法は、請求項８記載の撮影方法において、前記撮影条件は、前記データ形式の２つのパラメータの組合せであり、前記表示ステップは、前記２つのパラメータを夫々マトリックス状に配列して表示することを特徴とする。
【００１７】
請求項１０記載の撮影方法は、請求項７乃至９のいずれか１項に記載の撮影方法において、前記取得された動画像データをトリミング又はリサイズして前記サンプル画像の動画像データを作成する作成ステップを備え、前記表示ステップは、前記作成された動画像データに基づいて、前記複数のサンプル画像を表示することを特徴とする。
【００１８】
請求項１１記載の撮影方法は、請求項７乃至９のいずれか１項に記載の撮影方法において、前記サンプル画像の動画像データを予め記憶した記憶ステップを備え、前記表示ステップは、前記予め記憶された動画像データに基づいて、前記複数のサンプル画像を表示することを特徴とする。
【００１９】
請求項１２記載の撮影方法は、請求項７乃至１１のいずれか１項に記載の撮影方法において、前記複数のサンプル画像に対応した前記撮影条件及びメモリ残量に基づいて録画可能時間を算出する算出ステップを備え、前記表示ステップは、前記複数のサンプル画像に対応させて前記録画可能時間を表示することを特徴とする。
【００２０】
上述の目的を達成するために、請求項１３記載の撮影プログラムは、動画像から動画像データを取得して記録する撮影プログラムにおいて、撮影条件の異なる複数のサンプル画像を表示する表示モジュールと、前記複数のサンプル画像から１つのサンプル画像を選択する選択モジュールと、前記撮影条件を前記選択された１つのサンプル画像に基づいて設定する設定モジュールとをコンピュータに実行させることを特徴とする。
【００２１】
上述の目的を達成するために、請求項１４記載のコンピュータ読取り可能な記憶媒体は、請求項１３記載のプログラムを格納することを特徴とする。
【発明の効果】
【００２２】
請求項１記載の撮影装置、請求項７記載の撮影方法、請求項１３記載の撮影プログラム、及び請求項１４記載の記憶媒体によれば、撮影条件の異なる複数のサンプル画像を表示し、複数のサンプル画像から選択された１つのサンプル画像に基づいて撮影条件を設定するので、動画像の撮影時におけるにおける撮影条件を最適かつ簡便に設定することができる。
【００２３】
請求項３記載の撮影装置、請求項９記載の撮影方法によれば、撮影条件は、データ形式の２つのパラメータの組合せであり、２つのパラメータを夫々マトリックス状に配列して表示するので、サンプル画像の画質を容易に比較することができる。
【００２４】
請求項４記載の撮影装置、請求項１０記載の撮影方法によれば、取得された動画像データをトリミング又はリサイズしてサンプル画像の動画像データを作成するので、実際に撮影される画像の画質を確認することができる。
【００２５】
請求項５記載の撮影装置、請求項１１記載の撮影方法によれば、予め記憶された動画像データに基づいて、複数のサンプル画像を表示するので、サンプル画像を迅速に表示することができる。
【００２６】
請求項６記載の撮影装置、請求項１２記載の撮影方法によれば、複数のサンプル画像に対応させて、撮影条件及びメモリ残量に基づいて算出された録画可能時間を表示するので、サンプル画像の画質と撮影可能時間を確認しながら撮影条件を選択することができる。
【発明を実施するための最良の形態】
【００２７】
以下、本発明の実施の形態を図面を参照しながら詳述する。
【００２８】
図１は、本発明の実施の形態に係る撮影装置の内部構成を概略的に示すブロック図である。
【００２９】
図１において、撮影装置１００は、動画像データを取得する光学レンズ１０８と、光学レンズ１０８により取得された動画像データをＡＤ変換して電気信号として出力する撮像センサ１０９と、撮像センサ１０９から出力された電気信号をＹＵＶ信号に変換するカメラ信号処理ＤＳＰ１１０と、ＹＵＶ信号に変換された動画像データをＭＰＥＧ方式で圧縮するＭＰＥＧコーデック部１０４と、ＹＵＶ信号に変換された動画像データをＭｏｔｉｏｎＪＰＥＧ方式で圧縮するＭ−ＪＰＥＧコーデック部１０５と、ＭＰＥＧコーデック部１０４及びＭ−ＪＰＥＧコーデック部１０５が夫々使用するＳＤＲＡＭ等の映像用メモリ１１１，１１２とを備える。
【００３０】
また、撮影装置１００は、撮影装置１００を制御するＣＰＵ１０１と、圧縮された動画像データ及び音声データを一時的に蓄積するＲＡＭ１０２と、ＲＡＭ１０２に蓄積された動画像データ及び音声データを保存すると共に、撮影装置１００において実行されるプログラムを格納する外部記憶領域１０３とを備える。外部記憶領域１０３は、フラッシュメモリ、ハードディスク、書き込み可能な光ディスク等を用いることができる。
【００３１】
ＣＰＵ１０１、ＲＡＭ１０２、外部記憶領域１０３、ＭＰＥＧコーデック部１０４、及びＭ−ＪＰＥＧコーデック部１０５は、システムバス１０７を介して互いに接続されている。
【００３２】
カメラ信号処理ＤＳＰ１１０によりＹＵＶ信号に変換された画像データは、ＭＰＥＧコーデック部１０４、又はＭ−ＪＰＥＧコーデック部１０５により圧縮され、圧縮された動画像データは、書き込み効率やシステム全体のパフォーマンスの向上、エラー回避等の目的でＲＡＭ１０２に一時的に蓄積され、外部記憶領域１０３に保存される。
【００３３】
さらに、撮影装置１００は、ＬＣＤコントローラ１１４を介してカメラ信号処理ＤＳＰ１１０に接続されたＬＣＤ１１５と、ＣＰＵ１０１、カメラ信号処理ＤＳＰ１１０、及びＬＣＤ１１５に夫々接続されたカメラコントロールマイコン１１８と、キー入力インターフェース（Ｉ／Ｆ）１１７を介してカメラコントロールマイコン１１８に接続された撮影ボタン又は再生ボタン等の入力キー１１６と、ＡＤ１０６を介してシステムバス１０７に接続された映像の撮影中に音声データを取得するマイク１１３とを備える。
【００３４】
ＬＣＤ１１５は、ＬＣＤコントローラ１１４の制御により、ファインダー画像、記録画像、及びユーザが撮影を行う際に最適な撮影条件を設定するための撮影条件設定画面等を表示する。
【００３５】
キー入力Ｉ／Ｆ１１７は、入力キー１１６のいずれかのキーが入力されたときに割り込み信号をカメラコントロールマイコン１１８に送信し、カメラコントロールマイコン１１８は、割り込み信号を受信してフラッシュメモリ等の外部記憶領域１０３に格納されているプログラムのキー入出力処理ルーチンに従って、受信した割り込み信号に対応した割り込み処理を実行する。
【００３６】
入力キー１１６の撮影ボタンが押下されたときは、カメラコントロールマイコン１１８は、カメラ信号処理ＤＳＰ１１０を制御して撮像センサ１０９から出力された電気信号をＹＵＶ信号に変換させ、ＬＣＤコントローラ１１４は、カメラ信号処理ＤＳＰ１１０からのＹＵＶ信号に基づいてＬＣＤ１１５にファインダー画像を表示させる。また、入力キー１１６の再生ボタンが押下されたときは、カメラコントロールマイコン１１８は、ＬＣＤ１１５を直接制御して、ＬＣＤ１１５に記録画像を表示させる。
【００３７】
ＡＤ１０６は、マイク１１３によって取得された音声データをＰＣＭデータにＡＤ変換して、ＰＣＭデータに変換された音声データをＡＡＣやＭＰ３形式等の音声圧縮方式を用いて圧縮し、ＭＰＥＧコーデック部１０４及びＭ−ＪＰＥＧコーデック部１０５が出力した動画像データと同期して、ＲＡＭ１０２に一時的に蓄積し、外部記憶領域１０３に保存する。または、ＡＤ１０６は、マイク１１３により取得された音声データを、音声圧縮プログラムを用いてソフトウェアエンコードしてもよい。
【００３８】
図２は、図１の撮影装置１００によって実行される撮影処理のフローチャートである。
【００３９】
図２において、ユーザが、ＭｏｔｉｏｎＪＰＥＧ形式での撮影を選択して撮影条件を設定するときは、後述する図４のサンプル画像表示処理を実行して、ＬＣＤ１１５に図３の撮影条件設定画面を表示する（ステップＳ２０１）。
【００４０】
図３の撮影条件設定画面には、ＭｏｔｉｏｎＪＰＥＧの画質のパラメータである３０ｆｐｓ、１５ｆｐｓ、１０ｆｐｓのフレームレート（Flame Rate）を横軸、スーパーファイン、ファイン、ノーマルの圧縮率（Compression Rate）を縦軸として、２つのデータ形式の組合せの異なる９つのサンプル画像がマトリックス状に表示されている。フレームレートが３０ｆｐｓ、圧縮率がスーパーファインのサンプル画像が最高画質で、フレームレートが１０ｆｐｓ、圧縮率がノーマルのサンプル画像が最低画質となる。各サンプル画像の右下には、外部記憶領域１０３のメモリ残量とデータ形式から算出された夫々のデータ形式で撮影したときの撮影可能時間を表示している。撮影対象によってデータサイズが異なるため、撮影可能時間は目安である。各サンプル画像は必要に応じて拡大して表示することもできる。
【００４１】
また、撮影条件設定画面には、画像サイズを設定するための設定メニュー（Size）と、オーディオビットレートを設定するための設定メニュー（Audio）とが表示されている。ユーザがこれらのメニューから選択することにより画面サイズ、オーディオビットレートを変更すると、変更された画面サイズ、オーディオビットレートから新たに撮影可能時間が算出され、各サンプル画像に表示されている撮影可能時間が変更される。
【００４２】
図２に戻り、画像サイズが変更されたか否か（ステップＳ２０２）、オーディオビットレートが変更されたか否か（ステップＳ２０３）を夫々判別し、画像サイズが変更されたか、又はオーディオビットレートが変更されたときは、各サンプル画像に表示されている撮影可能時間を変更し（ステップＳ２０４）、ステップＳ２０２に戻る。
【００４３】
ステップＳ２０２の判別の結果、画像サイズが変更されず、且つステップＳ２０３の判別の結果、オーディオビットレートが変更されないときは、ＬＣＤ１１５に表示した９つのサンプル画像から、１つのサンプル画像が選択されたか否かを判別し（ステップＳ２０５）、１つのサンプル画像が選択されないときは、ステップＳ２０２に戻り、１つのサンプル画像が選択されたときは、選択されたサンプル画像に対応するフレームレート、圧縮率、画像サイズ、オーディオビットレートの各撮影条件を設定し（ステップＳ２０６）、撮影条件設定画面を終了し（ステップＳ２０７）、入力キー１１６の撮影ボタンが押下されることにより撮影開始が指示されると（ステップＳ２０８でＹＥＳ）、設定された撮影条件で撮影を実行し（ステップＳ２０９）、本処理を終了する。
【００４４】
図２の処理によれば、ＬＣＤ１１５に撮影条件設定画面を表示し（ステップＳ２０１）、ＬＣＤ１１５に表示した９つのサンプル画像から、１つのサンプル画像が選択されたときは（ステップＳ２０５でＹＥＳ）、選択されたサンプル画像に対応する各撮影条件を設定する（ステップＳ２０６）ので、動画像の撮影時におけるにおける撮影条件を最適かつ簡便に設定することができる。
【００４５】
図４は、図２のステップＳ２０１のサンプル画像表示処理のフローチャートである。
【００４６】
図４において、光学レンズ１０８から動画像データを取込み（ステップＳ４０１）、カメラ信号処理ＤＳＰ１１０は、取り込んだ動画像データをＬＣＤ１１５に合わせたサンプル画像のサイズにリサイズする（ステップＳ４０２）。ここでは、ユーザが画質を確認できればよいので、取り込んだ画像をリサイズする代わりに、画像の一部分だけをトリミングしてもよい。
【００４７】
次いで、Ｍ−ＪＰＥＧコーデック部１０５は、図５に示すように、カメラ信号処理ＤＳＰ１１０によりリサイズされた画像データをフレームレート３０ｆｐｓでスーパーファイン、ファイン、ノーマルの３種類の圧縮率にＤＣＴ変換して、量子化する（ステップＳ４０３）。ここでは、撮影される画像と同等の画像を表示すればよく、取り込んだ画像を圧縮、展開してファインダーに表示する必要はないので、処理負荷を抑えるために圧縮処理は行わない。
【００４８】
次いで、Ｍ−ＪＰＥＧコーデック部１０５は、ＤＣＴ変換及びスーパーファイン、ファイン、ノーマルの３種類の圧縮率に量子化された３０ｆｐｓの動画像データを夫々間引き処理し、１５ｆｐｓと１０ｆｐｓの画像データを出力する（ステップＳ４０４）。ステップＳ４０４の間引き処理は、図５に示すように、１５ｆｐｓの画像データは、３０ｆｐｓの画像データを一つ飛ばしにファインダーに出力し、１０ｆｐｓの画像データは、３０ｆｐｓの画像データを２つ飛ばしにファインダーに出力することにより行う。
【００４９】
次いで、出力された合計９種類のデータ形式の画像データを逆ＤＣＴ変換し（ステップＳ４０５）、ＬＣＤ１１５の撮影条件設定画面に９種類のサンプル画像を表示し（ステップＳ４０６）、本処理を終了する。
【００５０】
図４の処理によれば、出力された合計９種類のデータ形式の画像データを逆ＤＣＴ変換し（ステップＳ４０５）、ＬＣＤ１１５の撮影条件設定画面に９種類のサンプル画像を表示する（ステップＳ４０６）ので、サンプル画像の画質と撮影可能時間を確認しながら撮影条件を選択することができ、もって動画像の撮影時におけるにおける撮影条件を最適かつ簡便に設定することができる。
【００５１】
図６は、図４のサンプル画像表示処理の変形例のフローチャートである。
【００５２】
図４の処理では、撮影条件選択は、光学レンズ１０８に入力される画像からＭ−ＪＰＥＧコーデック部１０によりサンプル画像を作成してＬＣＤ１１５に表示したが、本処理では、撮影装置１００の外部記憶領域１０３にフレームレートや圧縮率に応じたＭｏｔｉｏｎＪＰＥＧのサンプル画像の画像データを予め保存しておく。
【００５３】
図６において、撮影装置１００の外部記録領域１０３に保存されているＭｏｔｉｏｎＪＰＥＧのサンプル画像の画像データを読出す（ステップＳ６０１）。サンプル画像の画像データは、外部記録領域１０３の容量節約のためＭｏｔｉｏｎＪＰＥＧの画像データであってもよく、処理負荷を低減するため量子化された画像データであってもよい。
【００５４】
次いで、Ｍ−ＪＰＥＧコーデック部１０５は、読出されたＭｏｔｉｏｎＪＰＥＧ形式のサンプル画像の画像データをデコードし（ステップＳ６０２）、間引き処理を行い（ステップＳ６０３）、ＬＣＤ１１５の撮影条件設定画面にサンプル画像を表示し（ステップＳ６０４）、本処理を終了する。
【００５５】
表示された撮影条件設定画面には、実際に撮影しようとする画像とは異なるサンプル画像が表示されるが、ユーザはこのサンプル画像から画質を確認することができる。また、図３の撮影条件設定画面と同様に、画像サイズやオーディオビットレートを変更することができ、夫々のデータ形式での撮影可能時間を確認することができる。
【００５６】
図６の処理によれば、撮影装置１００の外部記録領域１０３に保存されているＭｏｔｉｏｎＪＰＥＧのサンプル画像の画像データを読出し（ステップＳ６０１）、ＬＣＤ１１５の撮影条件設定画面にサンプル画像を表示する（ステップＳ６０４）ので、サンプル画像と撮影可能時間を確認しながら撮影条件を選択することができ、もって動画像の撮影時におけるにおける撮影条件を最適かつ簡便に設定することができる。また、外部記録領域１０３に保存されているサンプル画像の画像データを用いるので、サンプル画像を迅速に表示することができる。
【００５７】
図７は、図４のサンプル画像表示処理の他の変形例のフローチャートである。
【００５８】
図４及び図６の処理では、ＭｏｔｉｏｎＪＰＥＧ形式での撮影を選択して撮影条件を設定したが、本処理では、ＭＰＥＧ形式での撮影を選択して撮影条件を設定する。ＭＰＥＧ形式での撮影時の撮影条件設定画面は、図３のＭｏｔｉｏｎＪＰＥＧ形式での画面とほぼ同じであるが、図３のパラメータは圧縮率とフレームレートであったのに対し、ＭＰＥＧ形式ではビットレートとフレームレートとなる。
【００５９】
図７において、ＭＰＥＧ形式での撮影を選択して撮影条件を設定するときは、撮影装置１００の外部記録領域１０３に保存されている３種類のビットレートのＭＰＥＧ形式のサンプル画像の画像データを読出す（ステップＳ７０１）。ＭＰＥＧコーデック部１０４は、読出したＭＰＥＧ形式のサンプル画像の画像データをデコードし（ステップＳ７０２）、間引き処理を行う（ステップＳ７０３）。
【００６０】
ＭＰＥＧ形式では、通常、独立してデコードできるフレームのフレームとの差分をとるフレームとによって構成するフレーム間予測という技術が用いられるので、図５のＭｏｔｉｏｎＪＰＥＧ形式のように任意にフレームを間引くことはできないが、本処理におけるＭＰＥＧ形式のサンプル画像の画像データは、全てのフレームをＭＰＥＧにおける独立してデコードできるＩフレームのみで構成するので、任意にフレームを間引いても前後のフレームのデコードに影響はない。よって、ＭｏｔｉｏｎＪＰＥＧにおける図５に示すようにＭＰＥＧの場合も、３０ｆｐｓの画像データからフレームを間引いて、１５ｆｐｓと１０ｆｐｓのＭＰＥＧデータを作成することができる。
【００６１】
次いで、ＬＣＤ１１５の撮影条件設定画面にサンプル画像を表示し（ステップＳ７０４）、本処理を終了する。
【００６２】
表示された撮影条件設定画面には、３つのビットレートでそれぞれ、３０ｆｐｓ、１５ｆｐｓ、１０ｆｐｓの合計９種類のサンプル画像が表示される。図６の処理と同様に、実際に撮影しようとする画像とは異なるサンプル画像が表示されるが、ユーザはこのサンプル画像から画質を確認することができる。また、図３の撮影条件設定画面と同様に、画像サイズやオーディオビットレートを変更することができ、夫々のデータ形式での撮影可能時間を確認することができる。
【００６３】
外部記録領域１０３に保存されているサンプル画像の画像データは、ＭＰＥＧ形式の３種類のビットレートと同等画質のＭｏｔｉｏｎＪＰＥＧ形式の画像データであってもよい。
【００６４】
図７の処理によれば、撮影装置１００の外部記録領域１０３に保存されているＭＰＥＧのサンプル画像の画像データを読出し（ステップＳ７０１）、ＬＣＤ１１５の撮影条件設定画面にサンプル画像を表示する（ステップＳ７０４）ので、サンプル画像と撮影可能時間を確認しながら撮影条件を選択することができ、もって動画像の撮影時におけるにおける撮影条件を最適かつ簡便に設定することができる。また、外部記録領域１０３に保存されているサンプル画像の画像データを用いるので、サンプル画像を迅速に表示することができる。
【００６５】
また、本発明の目的は、上記実施形態の機能を実現するソフトウェアのプログラムコードを記録した記憶媒体（又は記録媒体）を、システム又は装置に供給し、そのシステム又は装置のコンピュータ（又はＣＰＵやＭＰＵ）が記憶媒体に格納されたプログラムコードを読出して実行することによっても達成されることは言うまでもない。
【００６６】
この場合、記憶媒体から読出されたプログラムコード自体が前述した実施の形態の機能を実現することになり、そのプログラムコードを記憶した記憶媒体は本発明を構成することになる。
【００６７】
また、コンピュータが読出したプログラムコードを実行することにより、前述した実施の形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施の形態の機能が実現される場合も含まれることは言うまでもない。
【００６８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵ等が実際の処理の一部又は全部を行い、その処理によって前述した実施の形態の機能が実現される場合も含まれることは言うまでもない。
【００６９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００７０】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。又は、上記プログラムは、インターネット、商用ネットワーク、若しくはローカルエリアネットワーク等に接続される不図示の他のコンピュータやデータベース等からダウンロードすることにより供給される。
【図面の簡単な説明】
【００７１】
【図１】本発明の実施の形態に係る撮影装置の内部構成を概略的に示すブロック図である。
【図２】図１の撮影装置によって実行される撮影処理のフローチャートである。
【図３】図２のステップＳ２０１で表示される撮影条件設定画面の一例を示す図である。
【図４】図２のステップＳ２０１のサンプル画像表示処理のフローチャートである。
【図５】図４のステップＳ４０４の間引き処理を説明するのに用いられる図である。
【図６】図４のサンプル画像表示処理の変形例のフローチャートである。
【図７】図４のサンプル画像表示処理の他の変形例のフローチャートである。
【符号の説明】
【００７２】
１００  撮影装置
１０１  ＣＰＵ
１０２  ＲＡＭ
１０３  外部記憶領域
１０４  ＭＰＥＧコーデック部
１０５  ＭｏｔｉｏｎＪＰＥＧコーデック部
１０８  光学レンズ
１０９  撮像センサ
１１０  カメラ信号処理ＤＳＰ
１１８  カメラコントロールマイコン
１１４  ＬＣＤコントローラ
１１５  ＬＣＤ
１１６  入力キー
【図１】
2005348258.tif 000003
【図２】
2005348258.tif 000004
【図３】
2005348258.tif 000005
【図４】
2005348258.tif 000006
【図５】
2005348258.tif 000007
【図６】
2005348258.tif 000008
【図７】
2005348258.tif 000009